(57)【要約】【課題】吐水管本体にボルトを固定するときの作業性を向上させる技術を提供する。【解決手段】吐水管１０は、カウンター１１に固定されるべき吐水管本体２０と、吐水管本体２０に設けられ、切欠孔３７が形成される被締結部３１と、切欠孔３７に挿通される軸部５１と、軸部５１の上端側にて軸部５１より拡径する頭部５３を有し、吐水管本体２０をカウンター１１に固定するためのボルト５０と、軸部５１の他端側からねじ込まれ、頭部５３との間で被締結部３１を挟み込む固定ナット６０とを備える。切欠孔３７は、ボルト５０の軸部５１の軸方向と交差する方向に開口し、開口側から奥側に向けて軸部５１を通過可能な大きさに形成されることを特徴とする。【選択図】図２
2015113602.tif 000002
【特許請求の範囲】
【請求項１】
基体に固定されるべき吐水管本体と、
前記吐水管本体に設けられ、切欠孔が形成される被締結部と、
前記切欠孔に挿通される軸部と、前記軸部の一端側にて該軸部より拡径する頭部を有し、前記吐水管本体を前記基体に固定するためのボルトと、
前記軸部の他端側からねじ込まれ、前記頭部との間で前記被締結部を挟み込む固定ナットと、を備え、
前記切欠孔は、前記軸部の軸方向と交差する方向に開口し、開口側から奥側に向けて前記軸部を通過可能な大きさに形成されることを特徴とする吐水管。
【請求項２】
前記吐水管本体に設けられ、前記ボルトの一端側の端面に対向する突き当て部を更に備えることを特徴とする請求項１に記載の吐水管。
【請求項３】
前記ボルトは、前記軸部の外周面に形成される係合部を含み、
前記切欠孔は、開口側から奥側に向けて前記軸部を通過させるとき、該切欠孔の内壁面と周方向に前記係合部が係合して前記ボルトの回転が規制されるように、互いに対向する一対の内壁面間の幅寸法が定められることを特徴とする請求項１または２に記載の吐水管。
【発明の詳細な説明】
【技術分野】
【０００１】
本発明は、洗面台のカウンター等の基体に固定される吐水管に関する。
【背景技術】
【０００２】
洗面台のカウンター等の基体には自動水栓等に用いられる吐水管が固定される。吐水管は、通常、ボルトを用いて基体に固定される。特許文献１に記載の構造では、吐水管本体の基端側の底部にボルトの一端側が挿通される。この底部から吐水管本体の奥側に向けてボルトが突き出た部分には固定用ナットがねじ込まれ、ボルトが吐水管本体に固定される。ボルトの他端側は基体に形成される取付孔に挿通されたうえで、馬蹄形の固定具が挿通され、締結用ナットがねじ込まれる。締結用ナットのねじ込みにより、吐水管本体と固定具により基体が挟み込まれて吐水管本体が基体に固定される。
【先行技術文献】
【特許文献】
【０００３】
【特許文献１】特開平１０−２９９０４７号公報
【発明の概要】
【発明が解決しようとする課題】
【０００４】
特許文献１の構造では、吐水管本体にボルトを固定するため、吐水管本体の底部から奥側に突き出たボルトの一部に固定用ナットをねじ込んでいる。吐水管本体内は作業スペースが限られており、その基端側の開口部から奥側に作業員の指や工具等を進入させ難い。
【０００５】
本発明は、このような課題に鑑みてなされ、その目的は、吐水管本体にボルトを固定するときの作業性を向上させる技術を提供することにある。
【課題を解決するための手段】
【０００６】
上述の課題を解決するための本発明のある態様は、吐水管に関する。吐水管は、基体に固定されるべき吐水管本体と、吐水管本体に設けられ、切欠孔が形成される被締結部と、切欠孔に挿通される軸部と、軸部の一端側にて軸部より拡径する頭部を有し、吐水管本体を基体に固定するためのボルトと、軸部の他端側からねじ込まれ、頭部との間で被締結部を挟み込む固定ナットと、を備え、切欠孔は、軸部の軸方向と交差する方向に開口し、開口側から奥側に向けて軸部を通過可能な大きさに形成されることを特徴とする。
【０００７】
この態様によれば、吐水管本体内の奥側に作業員が指等を進入させずに、被締結部の切欠孔内にボルトの軸部を配置して、被締結部にボルトを固定できる。よって、吐水管本体にボルトを固定するときの作業性が向上する。
【０００８】
また、前述の態様において、吐水管本体に設けられ、ボルトの一端側の端面に対向する突き当て部を更に備えてもよい。この態様によれば、ボルトの軸部を切欠孔内に配置するとき、突き当て部にボルトを突き当てて、吐水管本体の軸方向にボルトを位置合せでき、その作業時の作業性が良好となる。
【０００９】
また、前述の態様において、ボルトは、軸部の外周面に形成され、切欠孔の内壁面と周方向に係合する係合部を含み、切欠孔は、開口側から奥側に向けて軸部を通過させるとき、切欠孔の内壁面と周方向に係合部が係合してボルトの回転が規制されるように、互いに対向する一対の内壁面間の幅寸法が定められてもよい。この態様によれば、ボルトの周方向の向きを一定とした状態のまま、切欠孔の開口側から奥側に向けてボルトの軸部を移動できる。
【発明の効果】
【００１０】
本発明によれば、吐水管本体にボルトを固定するときの作業性が向上する。
【図面の簡単な説明】
【００１１】
【図１】第１実施形態に係る吐水管の固定構造が用いられる自動水栓の構成図である。
【図２】第１実施形態に係る吐水管の固定構造について吐水管本体の正面から見た断面図である。
【図３】第１実施形態に係る吐水管の固定構造の分解図である。
【図４】（ａ）はボルトを正面側からみた斜視図であり、（ｂ）は背面側からみた斜視図であり、（ｃ）は（ａ）のＢ−Ｂ線断面図であり、（ｄ）は（ａ）のＣ−Ｃ線断面図である。
【図５】（ａ）は固定具の斜視図であり、（ｂ）はその平面図であり、（ｃ）は図２のＤ−Ｄ線断面図である。
【図６】（ａ）は図２のＡ−Ａ線断面図であり、（ｂ）は（ａ）からボルトの頭部を省略した図である。
【図７】（ａ）は吐水管本体にボルトを固定する作業の途中状態を示す断面図であり、（ｂ）は（ａ）のＤ−Ｄ線断面図である。
【発明を実施するための形態】
【００１２】
以下の説明では、便宜上、図示の状態を基準に各構成要素の位置関係を表現する場合があるが、各構成要素の位置関係を限定するものではない。
【００１３】
［第１の実施の形態］
図１は第１実施形態に係る吐水管１０が用いられる自動水栓１００の構成図を示す。自動水栓１００は、吐水管１０と、電磁弁１２０と、物体検知センサ１３０と、制御部１４０を備える。
【００１４】
吐水管１０は、洗面台のカウンター１１（基体）に基端部２０ａが固定される吐水管本体２０を備える。吐水管本体２０は、カウンター１１の上面側（一面側）から法線方向に突出するように固定される。カウンター１１は、平板状に形成され、後述のボルト５０の軸部５１を挿通するための取付孔１３が形成される。
【００１５】
吐水管本体２０は、本例では、その中間部が湾曲して逆Ｕ字状に形成され、いわゆるグースネック状に形成される。吐水管本体２０は、金属材料を素材とする鋳物により構成される。吐水管本体２０は、その先端部２０ｂに水を吐き出すための吐水口２１が設けられる。吐水管本体２０は、その基端部２０ａから先端部２０ｂにかけて単一の部材により形成される。
【００１６】
吐水管本体２０の先端部には、センサユニット２３と吐水口部材２５が取り付けられる。センサユニット２３は、制御部１４０に可撓性のあるセンサケーブル２７を介して接続され、物体検知センサ１３０の発光部と受光部を内蔵する。吐水口部材２５は、電磁弁１２０に可撓性のある給水ホース２９を介して接続され、給水ホース２９内の給水路１２１を通じて上水道から供給される水を吐き出す吐水口２１となる流出口２５ａが設けられる。
【００１７】
電磁弁１２０は、吐水管本体２０の吐水口２１に給水するための給水路１２１の途中に設置される。電磁弁１２０は、制御部１４０による制御のもと、給水路１２１を開閉する。
【００１８】
物体検知センサ１３０は、本例では、発光部と受光部を有する赤外線式測距センサである。物体検知センサ１３０は、発光部から投光された光の被検知物からの反射光を受光し、吐水管本体２０の吐水口２１に対して所定の範囲内にある検知エリア内に人体の手等の被検知物が有るか否かを検知する。物体検知センサ１３０は、被検知物の検知結果を示す信号をセンサケーブル２７を介して制御部１４０に出力する。
【００１９】
制御部１４０は、本例では、マイコンを搭載した回路基板により構成される。制御部１４０は、物体検知センサ１３０からの検知結果を示す出力信号に基づき電磁弁１２０を開閉するように制御し、吐水管本体２０の吐水口２１からの給水の有無を切り替える。このとき、電磁弁１２０は、物体検知センサ１３０からの出力信号に基づき、吐水管本体２０の吐水口２１への給水の有無を切り替えるように制御される。なお、制御部１４０は、コンピュータのＣＰＵ、メモリをはじめとする素子や回路を組み合わせて実現されていればよい。
【００２０】
図２は吐水管１０の固定構造４０について吐水管１０の正面から見た断面図を示し、図３はその分解図を示す。固定構造４０は、吐水管本体２０の他に、ボルト５０と、固定ナット６０と、固定具７０と、締結ナット８０を備える。
【００２１】
吐水管本体２０は、その基端部２０ａ内に被締結部３１と突き当て部３３が設けられる。被締結部３１と突き当て部３３は、本実施形態において、吐水管本体２０の内周面から径方向内側に突出するように形成され、吐水管本体２０と一体成形により設けられる。被締結部３１と突き当て部３３は、吐水管本体２０の軸直交断面において、給水ホース２９やセンサケーブル２７を挿通可能な挿通空間３５が残るように設けられる。
【００２２】
被締結部３１は、吐水管本体２０の軸方向と交差する方向に平行な板状に形成される。被締結部３１には、吐水管本体２０の軸方向に貫通する切欠孔３７が形成される。
【００２３】
図４（ａ）はボルト５０を正面側からみた斜視図を示し、（ｂ）は背面側からみた斜視図を示し、（ｃ）は（ａ）のＢ−Ｂ線断面図を示し、（ｄ）は（ａ）のＣ−Ｃ線断面図を示す。ボルト５０は、軸部５１と、頭部５３を有する。軸部５１は、その上端側（一端側）に設けられる回り止め部５５と、回り止め部５５より軸部５１の下端側（他端側）に設けられる雄ねじ部５７と、雄ねじ部５７の軸方向の途中位置に設けられる縮径部５９とを含む。縮径部５９は、雄ねじ部５７より縮径して形成される。頭部５３は、軸部５１の上端側にて軸部５１より拡径して形成される。頭部５３は、軸部５１と一体成形により設けられる。
【００２４】
図２に戻り、ボルト５０の回り止め部５５は被締結部３１の切欠孔３７に挿通される。回り止め部５５は、その外周面にねじ山が設けられていない。ボルト５０の雄ねじ部５７は、被締結部３１の切欠孔３７から下端側に突き出た部分に下端側から固定ナット６０がねじ込まれる。固定ナット６０の締め付けにより、ボルト５０の頭部５３と固定ナット６０の間で被締結部３１が挟み込まれ、ボルト５０が被締結部３１に固定される。ボルト５０の雄ねじ部５７は、吐水管本体２０の基端側の開口部から下端側に突き出た部分がカウンター１１の取付孔１３に挿通される。
【００２５】
固定具７０は、カウンター１１に対して吐水管本体２０と反対側となるカウンター１１の下面側に配置される。吐水管本体２０と固定具７０は、カウンター１１を厚さ方向の両側から挟むように配置される。
【００２６】
図５（ａ）は固定具７０の斜視図を示し、（ｂ）はその平面図を示し、（ｃ）は図２のＤ−Ｄ線断面図を示す。固定具７０は、平面視にて円形状の截頭錘状に形成され、その上方に向かうにつれて中心軸Ａ１に近づくようなテーパー面７０ａが外周側に形成される。
【００２７】
固定具７０には、吐水管本体２０の軸方向に貫通する軸孔７１と引出孔７３が形成される。軸孔７１は、固定具７０の平面視にて中心軸Ａ１から偏心した位置に形成される。図２に戻り、ボルト５０の雄ねじ部５７は、カウンター１１の取付孔１３から下端側に突き出た部分が固定具７０の軸孔７１に挿通される。引出孔７３は、その貫通方向と交差する方向（図２では左右方向）に開口するように切り欠いて形成される。固定具７０は、引出孔７３が形成されることにより平面視にて馬蹄状を呈する。給水ホース２９やセンサケーブル２７（図２では省略）は、吐水管本体２０内に先端側から基端側にかけて挿通され、カウンター１１の取付孔１３や固定具７０の引出孔７３を通してカウンター１１の下面側に引き出される。
【００２８】
固定具７０は、図３に示すように、下側の金属部材７０Ａと、上側のゴム等の弾性部材７０Ｂとを上下に重ね合わせ、これらを接着等により固着して一体化した複層構造により構成される。弾性部材７０Ｂは、金属部材７０Ａの上面を覆うように配置される。固定具７０は、弾性部材７０Ｂの軸孔７１の内径がボルト５０の雄ねじ部５７の外径より僅かに小さくなるように形成される。弾性部材７０Ｂは、その軸孔７１に挿通されるボルト５０の雄ねじ部５７と弾性変形を伴い接触し、その弾性変形した部分によりボルト５０に対して固定具７０が仮保持可能となる。
【００２９】
図２に戻り、ボルト５０の雄ねじ部５７は、固定具７０の軸孔７１から突き出た部分に下端側から締結ナット８０がねじ込まれる。固定具７０は、締結ナット８０の締め付けにより、被締結部３１とボルト５０により締結される。これにより、吐水管本体２０と固定具７０の間でカウンター１１が挟み込まれ、吐水管本体２０がカウンター１１に固定される。このとき、固定具７０の弾性部材７０Ｂのテーパー面７０ａが弾性変形を伴い取付孔１３の下側の周縁部に当接する。また、吐水管本体２０の基端部２０ａの開口縁とカウンター１１の間には環状のパッキン４１が挟み込まれる。
【００３０】
図６（ａ）は図２のＡ−Ａ線断面図を示し、（ｂ）は（ａ）からボルト５０の頭部５３を省略した図を示す。吐水管本体２０の切欠孔３７は、ボルト５０の軸部５１の軸方向と交差する方向に開口するように形成される。切欠孔３７は、開口側から奥側に向けて溝状に延びて設けられ、被締結部３１の側方に開口するボルト出入口３７ａと、ボルト出入口３７ａとは反対側の奥側に設けられる奥底部３７ｂを含む。切欠孔３７は、開口側であるボルト出入口３７ａから奥側である奥底部３７ｂにかけて、ボルト５０の回り止め部５５を通過可能な大きさに形成される。
【００３１】
ボルト５０の回り止め部５５には、その外周面に一対の係合部５６が形成される。係合部５６は、軸部５１の軸直交断面の外周面に形成される平坦面により形成される。一対の係合部５６は、軸部５１の中心軸Ａ２を挟んで平坦面が平行に並ぶように形成される。回り止め部５５の外周面は、係合部５６から周方向にずれた位置にて円弧状に形成される。回り止め部５５は、軸部５１の中心軸Ａ２から外周面までの径方向長さが周方向で異なる非円形状に形成されることになる。被締結部３１の切欠孔３７は、回り止め部５５の係合部５６が切欠孔３７の内壁面と周方向に係合可能な大きさに形成される。回り止め部５５の係合部５６が切欠孔３７の内壁面と周方向に係合して、切欠孔３７に対する軸部５１の相対回転が規制される。
【００３２】
吐水管本体２０の切欠孔３７は、互いに対向する一対の内壁面３７ｃ間の幅寸法Ｗが、開口側のボルト出入口３７ａから奥底部３７ｂにかけて同じとなるように定められる。これにより、切欠孔３７を通してボルト出入口３７ａから奥底部３７ｂにかけてボルト５０の回り止め部５５を通過させるとき、切欠孔３７の内壁面３７ｃと周方向にボルト５０の係合部５６が係合してボルト５０の回転が規制される。
【００３３】
図４に戻り、回り止め部５５に設けられる一対の係合部５６のうちの一方の係合部５６は、軸部５１の雄ねじ部５７を含む範囲にまで連続して設けられる。雄ねじ部５７は、周方向の一部に亘る範囲、つまり、係合部５６の設けられる範囲にねじ山が設けられず、それ以外の範囲にねじ山が設けられる。雄ねじ部５７は、軸部５１の中心軸Ａ２から外周面までの径方向長さが周方向で異なり、軸直交断面が中心軸Ａ２に対して非対称な非円形状に形成されることになる。図５（ｃ）に示すように、固定具７０の軸孔７１は雄ねじ部５７と嵌合する形状に形成される。雄ねじ部５７の係合部５６は軸孔７１の内壁面と周方向に係合し、固定具７０の軸孔７１に対するボルト５０の軸部５１の相対回転が規制される。雄ねじ部５７の軸直交断面が中心軸Ａ２に対して非対称に形成されるため、固定具７０の軸孔７１に雄ねじ部５７が嵌合したとき、雄ねじ部５７に対する固定具７０の周方向の向きが一定となる。よって、雄ねじ部５７に対して固定具７０の周方向の向きを合わせる作業が不要となり、吐水管本体２０の固定作業時の作業性が良好となる。
【００３４】
図２に戻り、吐水管本体２０の突き当て部３３は、吐水管本体２０の軸方向と交差する方向に平行な板状に形成される。突き当て部３３は、被締結部３１と間隔を空けて吐水管本体２０に設けられ、ボルト５０の上端側の上端面５０ａに対向する。突き当て部３３は、被締結部３１より吐水管本体２０内の奥側に設けられることになる。突き当て部３３は、被締結部３１の切欠孔３７や切欠孔３７との間で、吐水管本体２０の軸方向に位置が重なるように設けられる。吐水管本体２０の基端側の開口部からボルト５０が挿入されるとき、突き当て部３３にボルト５０の上端部を突き当て可能であり、吐水管本体２０の軸方向へのボルト５０の変位が規制される。
【００３５】
次に、本実施形態に係る吐水管１０の固定構造４０を用いて吐水管１０をカウンター１１に固定するための方法を説明する。
【００３６】
図７（ａ）は吐水管本体２０にボルト５０を固定する作業の途中状態を示す断面図であり、（ｂ）は（ａ）のＤ−Ｄ線断面図である。まず、ボルト５０の下端側を作業員が把持した状態で、吐水管本体２０の基端部２０ａの開口部からボルト５０の上端部を挿入する。このとき、吐水管本体２０の突き当て部３３にボルト５０の上端部を突き当てて、吐水管本体２０の軸方向にボルト５０を位置合せしてもよい。
【００３７】
ボルト５０の軸部５１は、その回り止め部５５の周方向の向きを合わせたうえで、被締結部３１の切欠孔３７にボルト出入口３７ａから挿入する。ボルト５０の軸部５１は、切欠孔３７の内壁面３７ｃに回り止め部５５の係合部５６をスライドさせながら奥底部３７ｂに接触するまで移動させる。このとき、切欠孔３７の内壁面３７ｃと周方向にボルト５０の係合部５６が係合してボルト５０の回転が規制される。よって、ボルト５０の軸部５１は、その周方向の向きを一定とした状態のまま、切欠孔３７の奥底部３７ｂに接触するまで移動可能となる。このとき、吐水管本体２０の突き当て部３３にボルト５０の上端部を突き当てた状態でボルト５０を移動させてもよい。
【００３８】
図２に戻り、ボルト５０の雄ねじ部５７には、被締結部３１の切欠孔３７から突き出た部分に下端側から固定ナット６０がねじ込まれ、固定ナット６０の締め付けにより、ボルト５０が被締結部３１に固定される。
【００３９】
ボルト５０の雄ねじ部５７は、固定ナット６０から下端側に突き出た部分をカウンター１１の取付孔１３に挿通する。このとき、吐水管本体２０の基端部２０ａの開口部から引き出される給水ホース２９やセンサケーブル２７は、カウンター１１の取付孔１３を通して下面側に引き出される。
【００４０】
ボルト５０の雄ねじ部５７には、カウンター１１の取付孔１３から突き出た部分に下端側から固定具７０の軸孔７１が挿通される。このとき、給水ホース２９やセンサケーブル２７は引出孔７３の開口から引出孔７３内に配置できる。
【００４１】
ボルト５０の雄ねじ部５７には、固定具７０の軸孔７１から突き出た部分に下端側から締結ナット８０がねじ込まれ、締結ナット８０の締付けにより、吐水管本体２０と固定具７０の間でカウンター１１が挟み込まれ、吐水管本体２０がカウンター１１に固定される。
【００４２】
以上の実施形態に係る吐水管１０によれば、被締結部３１に形成される切欠孔３７にボルト５０が挿通されるため、吐水管本体２０内に基端側の開口部から奥側に作業員が指等を進入させずに、被締結部３１の切欠孔３７内にボルト５０の軸部５１を配置できる。よって、吐水管本体２０にボルト５０を固定するときの作業性が向上する。
【００４３】
また、吐水管本体２０内の奥側に作業員が指等を進入させずに作業するための構造として、吐水管本体２０を分割等して複数の部材により構成し、吐水管本体２０にボルト５０を挿入するための開口部を基端部とは別に設けたものが考えられる。この点、本実施形態に係る固定構造４０によれば、吐水管本体２０を複数の部材により構成しなくともよくなるため、吐水管本体２０の外観に複数の部材間の継ぎ目が現われず、吐水管本体２０の意匠性が良好となる。
【００４４】
また、ボルト５０の軸部５１の下端側から固定ナット６０がねじ込まれるため、吐水管本体２０内に基端側の開口部から奥側に指等を進入させずに、ボルト５０を被締結部３１に固定できる。
【００４５】
また、吐水管本体２０に突き当て部３３が設けられるため、ボルト５０の軸部５１を切欠孔３７内に配置するとき、突き当て部３３にボルト５０を突き当てて、吐水管本体２０の軸方向にボルト５０を位置合せできる。また、突き当て部３３にボルト５０を突き当てた状態でボルト５０を移動でき、その作業時の作業性が良好となる。
【００４６】
また、被締結部３１の切欠孔３７や固定具７０の軸孔７１に対するボルト５０の軸部５１の相対回転を規制する係合部５６が設けられるため、被締結部３１とボルト５０や固定ナット６０、締結ナット８０が一体に回転できる。よって、固定ナット６０や締結ナット８０の緩みが生じ難くなり、固定ナット６０や締結ナット８０による締め付け力を長期間に亘り発揮できる。また、ボルト５０の回り止めのために接着が不要となり、吐水管本体２０にボルト５０を固定するときの作業性や、吐水管本体２０をカウンター１１に固定するときの作業性が良好となる。
【００４７】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００４８】
吐水管１０は、建物、船舶等に設置される設備に用いられてよく、洗面台の他に、キッチン、手洗器、浴室等に用いられてもよい。また、吐水管１０が固定される基体としてカウンター１１を例示した。この基体は、洗面台やキッチンではカウンターが例示されるが、この他にも、浴室等の設備の外内を区画する壁部材等が含まれる。また、吐水管１０は、自動水栓に用いられる場合を例示したが、レバー水栓等の他の水栓に用いられてもよい。
【００４９】
吐水管本体２０は、その形状についてグースネック状に限定されず、公知の形状に形成されていてもよい。また、吐水管本体２０は、単一の部材ではなく複数の部材を組み合わせて構成されてもよい。また、ボルト５０の頭部５３は、軸部５１と一体成形により設けられずに、軸部５１にナットをねじ込んで設けられてもよい。
【００５０】
また、切欠孔３７の幅寸法Ｗは、切欠孔３７の開口側から奥側に向けてボルト５０の軸部５１を通過させるとき、切欠孔３７の内壁面３７ｃと周方向に係合部５６が係合してボルト５０の回転が規制されるように定められばよい。よって、切欠孔３７の幅寸法Ｗは、ボルト出入口３７ａから奥底部３７ｂにかけて同じでなくともよく、その途中位置での長さが変化してもよい。
【００５１】
また、固定具７０は、その形状について馬蹄形に限定されない。また、固定具７０は、ナットにより構成されてもよい。
【符号の説明】
【００５２】
１０  吐水管、１１  カウンター（基体）、２０  吐水管本体、３１  被締結部、３３  突き当て部、３７  切欠孔、５０  ボルト、５１  軸部、５３  頭部、５５  回り止め部、５６  係合部、６０  固定ナット、７０  固定具。
【図１】
2015113602.tif 000003
【図２】
2015113602.tif 000004
【図３】
2015113602.tif 000005
【図４】
2015113602.tif 000006
【図５】
2015113602.tif 000007
【図６】
2015113602.tif 000008
【図７】
2015113602.tif 000009